(57)【要約】【課題】  小型の収納容器にも適用可能な簡易な機構で開口部露出面積を容易に調節でき、使い勝手の良い収納容器を提供する。【解決手段】  開口部１ｃを有する容器本体１と、開口部１ｃを開閉する蓋２とからなる収納容器１００において、容器本体１と蓋２とのいずれか一方に設けられた軸部３と、容器本体１と蓋２とのいずれか一方に設けられて軸部３に係合する軸案内溝１ｆとを備え、軸部３は軸案内溝１ｆに沿って摺動可能であるとともに、軸案内溝１ｆ内の所定の範囲で回動可能であり、蓋２は摺動と回動とに連動して開口部１ｃを開閉し、開口部１ｃの露出面積が調節できる。【選択図】図１
2011025996.tif 000002
【特許請求の範囲】
【請求項１】
開口部を有する容器本体と、前記開口部を開閉する蓋体とからなる収納容器において、前記容器本体と前記蓋とのいずれか一方に設けられた軸部と、前記容器本体と前記蓋とのいずれか一方に設けられて前記軸部に係合する軸案内溝とを備え、前記軸部は前記軸案内溝に沿って摺動可能であるとともに、前記軸案内溝内の所定の範囲で回動可能であり、前記蓋は前記摺動と前記回動とに連動して前記開口部を開閉し、前記開口部の露出面積が調節できることを特徴とする収納容器。
【請求項２】
前記容器本体と前記蓋とのいずれか一方に設けられた係合溝と、前記容器本体と前記蓋とのいずれか一方に設けられて前記係合溝に係合する係合突起とを備え、前記蓋の動きを制御できることを特徴とする請求項１記載の収納容器。
【発明の詳細な説明】
【技術分野】
【０００１】  この発明は、楊枝・綿棒・針・シャープペンシルの芯などの棒状物、あるいは錠剤・キャンディ・ガムなどの粒状物など、さらには日曜雑貨・衣類・缶・瓶など種々様々な小物の収納容器に関する。
【背景技術】
【０００２】  従来、容器に入れられた内容物を任意の量取り出すことができる収納容器としては、開口面積が異なる取り出し口を複数個設けたシャープペンシルの替芯ケース等がある。（例えば、特許文献１参照）。
また、容器の開口部露出面積を調節できる収納容器としては、リンク機構を用いて蓋を摺動し回動させる蓋付き収納容器等がある。（例えば、特許文献２参照）。
【先行技術文献】
【特許文献】
【０００３】
【特許文献１】特開２００３−２１１８９３号公報
【特許文献２】特開２０００−１５９２５１号公報
【発明の概要】
【発明が解決しようとする課題】
【０００４】  上記のような従来の収納容器のうち、特許文献１の収納容器においては、内容物の取り出し量は中蓋に開けられた開口部面積に制約され、取り出し量の変更は不可能であると言う問題点があった。
また、内容物の取り出しに主眼を置いたものであり、内容物が無くなれば廃棄することを前提としているため、内容物が無くなったときの補充は、開口部面積に制約され難しかった。すなわち、開口部面積の調節が不可能で、使い勝手も悪いと言う問題点があった。【０００５】  また、特許文献２の収納容器は、開口部露出面積を調節できるが、開口操作初期の円弧上に持ち上げ移動する段階では、上部から見たときの開口部はわずかである。この状態からさらに蓋体を移動させた段階でやっと必要な開口部露出面積を得ることができるというものであり、開口部露出面積の調節が難しく、使い勝手が悪い言う問題点があった。
また、リンクを用いた機構であるため、複雑で多くの部品を必要とし、小型の収納容器には適用できないという問題点もあった。【０００６】  本発明は、上述のような問題点を解決するためになされたもので、小型の収納容器にも適用可能な簡易な機構で開口部露出面積を容易に調節でき、使い勝手の良い収納容器を提供することを目的とする。
【課題を解決するための手段】
【０００７】  本発明の収納容器は、開口部を有する容器本体と、前記開口部を開閉する蓋とからなる収納容器において、前記容器本体と前記蓋とのいずれか一方に設けられた軸部と、前記容器本体と前記蓋とのいずれか一方に設けられて前記軸部に係合する軸案内溝とを備え、前記軸部は前記軸案内溝に沿って摺動可能であるとともに、前記軸案内溝内の所定の範囲で回動可能であり、前記蓋は前記摺動と前記回動とに連動して前記開口部を開閉し、前記開口部の露出面積が調節できるものである。【０００８】  また、前記容器本体と前記蓋とのいずれか一方に設けられた係止部と、前記容器本体と前記蓋とのいずれか一方に設けられて前記係止部に係合する係合部とを備え、前記蓋の動きを制御できるものである。
【発明の効果】
【０００９】  本発明の請求項１の収納容器は、小型の収納容器にも適用可能な簡易な機構で開口部露出面積を容易に調節でき、使い勝手も良いため、内容物を必要な量だけ、あるいは必要な物だけ容易に取り出すことができ、かつ内容物を収容することも容易である。【００１０】  また、請求項２の収納容器は、不意の動作で開口部が開くのを防ぐことができるため、収納容器の開閉操作を確実にでき、使い勝手が向上する。
【図面の簡単な説明】
【００１１】
【図１】  本発明の実施例１を示す収納容器の部分縦断面図である。
【図２】  図１に示す収納容器の蓋を全開した状態を示す。
【図３】  図１に示す収納容器の蓋を摺動させて容器の開口部を一部開いた状態を示す。
【図４】  図１に示す収納容器の蓋を摺動し回動させて容器の開口部を一部開いた状態を示す。
【図５】  図Ａは図３の線Ａ−Ａに沿う部分断面図であり、図Ｖは図ＡのＶ方向矢視図である。
【図６】  本発明の実施例２を示す収納容器の一部を切り欠いた縦断面図である。
【図７】  本発明の実施例３を示す収納容器の一部を切り欠いた縦断面図である。
【図８】  本発明の実施例４を示す収納容器の一部を切り欠いた縦断面図である。
【図９】  本発明の実施例５を示す収納容器の分解斜視図である。
【図１０】  図９に示す収納容器の蓋を一部開いた状態の斜視図である。
【図１１】  図９に示す収納容器の蓋を全開した状態の斜視図である。
【発明を実施するための形態】
【実施例１】
【００１２】  図１は、本発明の実施例１を示す収納容器の部分縦断面図である。図２は、図１に示す収納容器の蓋を全開した状態を示す。図３は、図１に示す収納容器の蓋を摺動させて容器の開口部を一部開いた状態を示す。図４は、図１に示す収納容器の蓋を摺動し回動させて容器の開口部を一部開いた状態を示す。図５の（Ａ）は、図３の線Ａ−Ａに沿う部分断面図であり、図Ｖは図ＡのＶ方向矢視図である。【００１３】  この実施例１の収納容器は、棒状物や粒状物等の収納に適し手のひらに載せ指先で操作できる収納容器を想定したものであるが、それより大きな一般の収納容器にも適用できる。【００１４】  図において、１００は収納容器であり、容器本体１と、蓋２と、蓋２を容器本体１の一端部に回動自在に連結する軸部３とで構成されている。
容器本体１は、例えば、合成樹脂材料又はアルミニュウム材料で形成され、中空の収納部１ａを有し、下端部に底部１ｂ、上端部には開口部１ｃが設けられている。また、容器本体１の上端部には、図２及び図５に示すように、開口端面１ｄよりも更に上部に平行して突出する一対の蓋保持部１ｅが形成されている。また、この一対の蓋保持部１ｅには、それぞれに長孔の軸案内溝１ｆと、この軸案内溝１ｆの上部に平行する長孔の蓋係合溝１ｇが形成されている。【００１５】  蓋２は、例えば合成樹脂材料又はアルミニュウム材料で形成され、下端部に容器本体１の開口端面１ｄに当接して開口部１ｃを閉塞する蓋面２ａと、長手方向の一端部に軸部３を嵌合させる貫通孔２ｂが形成され、その一端部の角部は貫通孔２ｂの中心点を中心とする円弧状に形成されている。また、図２及び図５（Ａ）に示すように、短手方向の両端面には容器本体１の蓋係合溝１ｇと係合する第一の係合突起２ｃと第二の係合突起２ｄが形成されている。なお、この第一の係合突起２ｃと第二の係合突起２ｄは、蓋２と一体でなく別体の軸などを結合させたものでも良い。また、蓋２には、図１に示すように、上端面に複数の第一の滑り止め用突起２ｍと、左端面に複数の第二の滑り止め用突起２ｎが形成されている。【００１６】  軸部３は、金属製の丸棒又は合成樹脂製の丸棒で形成され、蓋２の貫通孔２ｂに嵌合され、その両端部は容器本体１の軸案内溝１ｆと摺動自在に係合する。なお、軸部３は蓋２と一体に形成しても良い。【００１７】  また、蓋２は容器本体１の一対の蓋保持部１ｅの間に挿着され、その間で軸案内溝１ｆに沿って摺動することができ、図４に示すように、任意の位置で軸部３の中心点を支点に回動することができる。また、軸部３の両端部は軸案内溝１ｆに係合し、容易に外れないように蓋２の両端面から突出している。
また、蓋２の第一の係合突起２ｃは容器本体１の蓋係合溝１ｇと係合し、蓋２を閉塞時に不意の力で開口部１ｃが露出するのを防止している。【００１８】  また、蓋２の第二の係合突起２ｄは容器本体１の蓋係合溝１ｇと係合し、摺動時に蓋２が安易に回動するのを防止している。
また、第一の係合突起２ｃと第二の係合突起２ｄは、所定の外力が加わると、一対の蓋保持部１ｅの弾性たわみにより蓋保持部１ｅとの係合が解除されるように、一対の蓋２の両側面から僅かに突出させている。
また、蓋面２ａは開口端面１ｄに当接し、開口端面１ｄは蓋２が摺動時に摺動の支え面となる。【００１９】  上述のように構成された収納容器の使用方法を図１〜図４に基づき説明する。
図１に示すように、軸部３はその両端を軸案内溝１ｆに係合されて容器本体１の一方の端部に位置し、第一の係合突起２ｃは容器本体１の蓋係合溝１ｇに係合され、容器本体１の他方の端部に位置し、容器本体１の開口部１ｃを閉塞している。
この状態から、指先で蓋２の第一の滑り止め用突起２ｍを所定の力以上で矢印Ｂ方向に押し出すことにより、第一の係合突起２ｃの係合部周辺の蓋保持部１ｅが撓んで外方向に開き、第一の係合突起２ｃと蓋保持部１ｅとの係合が解除され、蓋２が摺動可能となり、図３に示す位置まで移動して開口部１ｃが露出する。なお、蓋２が矢印Ｂ方向への摺動時は第二の係合突起２ｄは蓋係合溝１ｇに係合されたままであり、不意の力で安易に蓋２が回動することはない。この蓋２の摺動長さＬを調節することにより、開口部１ｃの露出面積の調整が任意に可能となる。【００２０】  次に、図３に示す状態から蓋２の第二の滑り止め用突起２ｎあるいは蓋面２ａに指先を掛け、軸部３を支点に所定の力以上で矢印Ｃ方向に蓋２を回動させることにより、第二の係合突起２ｄの係合部周辺の蓋保持部１ｅが撓んで外方向に開き、第二の係合突起２ｄと蓋係合溝１ｇとの係合が解除され、蓋２が回動可能となる。
次に、図４に示すように、蓋２を回動させたまま右方向へ摺動させると、開口部１ｃの露出面積を調整することができる。【００２１】  次に、図２に示すように、更に蓋２を右方向へ摺動させると、開口部１ｃを最大に露出させることができる。
また、図１に示す蓋２が閉塞時の状態から図２に示す全開時の状態にすることも可能である。従って、開口部１ｃの露出面積の調整が全閉から全開まで任意に可能となり、内容物を必要なだけ、あるいは必要な物だけ容易に取り出すことができ、かつ、内容物を容易に入れることができる等使い勝手が良い。【００２２】  なお、蓋２を閉じるときは、開口操作の逆の操作をすれば良い。すなわち、蓋２を軸部３を支点に反時計方向へ回動させて倒し、第二の係合突起２ｄと蓋係合溝１ｇを係合させ、次に、蓋２を摺動させて第一の係合突起２ｃと蓋係合溝１ｇとを係合させることにより蓋２を閉じることができる。
【実施例２】
【００２３】  図６は、本発明の実施例２を示す収納容器の一部を切り欠いた縦断面図である。図において、実施例１と同様なものは、同じ符号を付けてその説明を省略する。この実施例２の収納容器は、内容物の一回当たりの取り出し量は少ないが、内容物が少なくなったときには一度に補充可能である。【００２４】  図において、軸案内溝１ｆと蓋係合溝１ｇとは、同一の延長線上に配設されている。また、軸部３が嵌合された蓋２の下端部の角は、円弧を設けず蓋面角部２ｋとし、蓋２が摺動して蓋面角部２ｋが開口角部１ｋを通り越さないと蓋２を回動できないようにしている。
なお、摺動可能長さは、図１に示す収納容器に比較して短くなっている。【００２５】  すなわち、蓋２の閉蓋時からの操作は摺動に限定され、開口部１ｃの露出面積も大きくないため、通常の使用が内容物を少量取り出すだけである場合に適している。しかも、摺動開口後には、蓋２は矢印Ｃ方向に回動可能となるため、開口部１ｃを全開にすることも可能で、内容物が無くなったときには容易に補充でき使い勝手が良い。
【実施例３】
【００２６】  図７は、本発明の実施例３を示す収納容器の一部を切り欠いた縦断面図である。図において、実施例１と同様なものは、同じ符号を付けてその説明を省略する。
この実施例３の収納容器は、開口部１ｃの露出面積を「大」「中」「小」など開度を固持可能にするとともに、蓋保持部１ｅが同じ大きさであれば、摺動可能長さをより長くできる収納容器である。【００２７】  図７において、軸案内溝１ｆと蓋係合溝１ｇとは、同一の延長線上に繋ぎ合わされて配設され、蓋係合溝１ｇの溝幅は軸案内溝１ｆの溝幅よりも小さく形成されている。また、容器本体１には、開口端面１ｄ上に突出する係合凸部１ｐが設けられている。蓋面２ａには、係合凹部２ｐが設けられ、この係合凹部２ｐは、１か所は蓋２の端部近傍に、３か所は一定間隔で蓋２のやや中央部に設けられている。
蓋２を閉蓋時には、蓋２の端部近傍に設けられた係合凹部２ｐと係合凸部１ｐとが係合し、不意の力で開口部１ｃが露出するのを防止し、摺動時には係合凸部１ｐと他の係合凹部２ｐのいずれかと係合させ、開口部１ｃの露出面積の開度を容易に調節できるようにしている。
また、摺動可能長さは図６に示す収納容器と比較して長くなっている。
なお、係合凹部２ｐは軸案内溝１ｆもしくは蓋係合溝１ｇに設けてもよい。【００２８】  すなわち、この実施例３の収納容器は、開口部１ｃの露出面積を「大」「中」「小」など開度を固持可能にしたため、内容物の取り出し量を一定に保つことができる。また、開口部１ｃを全開にすることができるため、内容物が無くなったときには容易に補充できるなど使い勝手が良い。
【実施例４】
【００２９】  図８は、本発明の実施例４を示す収納容器の一部を切り欠いた縦断面図である。図において、実施例１と同様なものは、同じ符号を付けてその説明を省略する。
実施例１〜３に示す収納容器は、開口部１ｃが収納容器の頂部に限定されたものであったが、この実施例４に示す収納容器は、開口部１ｃが収納容器の頂部から一方の端面側上部にまで設けられたものである。【００３０】  図８に示すように、容器本体１の蓋保持部１ｅには、上下方向に軸案内溝１ｆと蓋係合溝１ｇとが設けられている。また、容器本体１には、軸案内溝１ｆの近傍に仕切り壁１ｓが設けられている。
蓋２には、実施例１と同様の第一の係合突起２ｃと第二の係合突起２ｄがそれぞれ設けられ、上端部両側面には第一の滑り止め用突起２ｍが設けられている。【００３１】  開口部１ｃが閉じた状態から（図示せず）、滑り止め用突起１ｍを指でつまんで蓋２を上方向へ引き上げることにより、軸部３は軸案内溝１ｆに沿って上方向に摺動して、図８に示すように、開口部１ｃの端面側だけが開かれる。このとき、仕切り壁１ｓは、軸案内溝１ｆ側の開口を防止する。この状態から軸部３を支点に矢印Ｅ方向に蓋２を回動させることにより、蓋２は二点鎖線で示す位置まで回動し、開口部１ｃが全開となる。【００３２】  この実施例４の収納容器は、蓋２の動作を上下方向への摺動と回動するようにしたものであり、収納容器上部端面からの取り出しが可能な物の収納に適する。例えば、粒状物等である。また、内容物が少なくなったときには一度に補充でき使い勝手が良い。【００３３】  なお、上述の実施例１〜４の収納容器においては、容器本体１に蓋係合溝１ｇを設け、蓋２に蓋係合溝１ｇに係合する第一の係合突起２ｃと第二の係合突起２ｄを設けるようにしたが、蓋２に係合溝（図示せず）を設け、容器本体１に係合溝に係合する係合突起（図示せず）を設けるようにしても良い。
【実施例５】
【００３４】  図９は、本発明の実施例５を示す収納容器を示す分解斜視図である。図１０は、図９に示す収納容器の蓋を一部開いた状態の斜視図である。図１１は、図９に示す収納容器の蓋を全開した状態の斜視図である。図において、実施例１と同様なものは、同じ符号を付けてその説明を省略する。
この実施例５に示す収納容器は、日曜雑貨・衣類・缶・瓶など種々様々な物の収納できる収納容器を想定したものである【００３５】  図９において、３１は容器本体であり、内部に第一の収納部３１ａと第二の収納部３１ｂとを備え、外周と底部とが閉塞され、仕切り壁３１ｙで仕切られている。
また、上部は開口部３１ｃとなっており、その周囲に開口面３１ｄが設けられ、この開口面３１ｄの上部両側面には一対の蓋保持部３１ｅが設けられ、この蓋保持部３１ｅには容器本体３１の後部壁面より突出した位置に一対の軸部３１ｆが設けられている。また、蓋保持部３１ｅの中ほどには一対の蓋係合突起３１ｇが設けられ、前部壁面上部の開口面３１ｄから蓋係止突起３１ｈが突出し、この蓋係止突起３１ｈは係止部操作片３１ｋと一体に結合されて容器本体３１に装着され、上下方向に移動可能である。【００３６】  蓋体３２は、下部に蓋面３２ａを有し、両側面端部の一方に一対の軸案内溝３２ｆが形成され、他方に一対の容器係合溝３２ｇが形成されている。また、蓋面３２ａの前方部には容器係合穴３２ｈが設けられ、上面には一対の第一の開閉取手３２ｍが設けられ、前部外側には第二の開閉取手３２ｎが設けられている。【００３７】  容器本体３１と蓋３２は、合成樹脂材料等により形成されている。蓋３２は、容器本体３１の上部両側面に形成された一対の蓋保持部３１ｅの間に挿着され、その間で軸案内溝３２ｆに沿って摺動し、その任意の位置で軸部３１ｆを支点に回動する。軸部３１ｆは、軸案内溝３２ｆに係合され容易には外れないように蓋保持部３１ｅの両側面の内側から突出している。
蓋係止突起３１ｈは容器係合穴３２ｈに係合し、閉蓋時に不意の力で開口部３１ｃの露出を防止するものであり、係止部操作片３１ｋを下方向に作動させることにより、容器係合穴３２ｈとの係合を解除できる。【００３８】  一対の蓋係合突起３１ｇは一対の容器係合溝３２ｇに係合し、蓋３２が摺動時に安易に回動するのを防止するものである。
また、一対の蓋係合突起３１ｇは、所定以上の力が加わると蓋保持部３１ｅの弾性たわみにより係合が解除されるように、蓋保持部３１ｅの両側面内側から僅かに突出している。
蓋面３２ａは開口面３１ｄに接し、この開口面３１ｄは摺動時には摺動支え面となる。仕切り壁３１ｙは蓋２が最大限摺動したとき第一の収納部３１ａの開口部３１ｃがすべて露出する位置に設けられている。【００３９】  上述のように構成された収納容器の使用方法を図９〜図１１に基づき説明する。
図９において、蓋３２を全閉した時は、容器本体３１の軸部３１ｆは蓋３２の軸案内溝３２ｆに係合され、容器本体３１の一対の蓋係合突起３１ｇは一対の容器係合溝３２ｇに係合され，蓋係止突起３１ｈは容器係合穴３２ｈに係合され、開口部３１ｃを閉塞している。【００４０】  この状態から係止部操作片３１ｋを下方に押し下げ、蓋係止突起３１ｈと容器係合穴３２ｈとの係合を解除し、第一の開閉取手３２ｍを矢印Ｆ方向に押し出すことにより、蓋３２が摺動し、図１０に示す状態まで開口部３１ｃが露出される。摺動時には蓋係合突起３１ｇと容器係合溝３２ｇは係合されたままであり、不意の力で安易に蓋３２が回動することはない。蓋３２の摺動長さを調節することにより開口部３１ｃの露出面積の調整が図１０に示す状態まで任意に可能となり、第一の収納部３１ａの内容物だけを出し入れできる。【００４１】  図９に示す状態から蓋３２の第二の開閉取手３２ｎに手を掛け、一対の軸部３１ｆを支点に所定の力以上で矢印Ｈ方向に回動させることにより、蓋係合突起３１ｇの係合部周辺の蓋保持部３１ｅが撓んで開き、蓋係合突起３１ｇと容器係合溝３２ｇとの係合が解除され、蓋３２が回動可能となる。図１１は、開口部３１ｃをすべて露出した状態を示し、第一の収納部３１ａと第二の収納部３１ｂの両方共に内容物を出し入れできる。
この実施例５の収納容器は、頻繁に出し入れする内容物は第一の収納部３１ａに収納し、頻繁に出し入れしない内容物は第二の収納部３１ｂに収納することで、内容物の出し入れが容易で整理整頓がしやすく使い勝手が良い。【００４２】  なお、上述の実施例５の収納容器においては、容器本体３１に蓋係合突起３１ｇを設け、蓋３２に蓋係合突起３１ｇに係合する容器係合溝３２ｇを設けるようにしたが、蓋３２に係合突起（図示せず）を設け、容器本体３１に係合突起に係合する係合溝（図示せず）を設けるようにしても良い。【００４３】  上述のように、本発明の収納容器は、開口部１ｃ，３１ｃを有する容器本体１，３１と、開口部１ｃ，３１ｃを開閉する蓋体２，３２とからなる収納容器において、容器本体１，３１と蓋２，３２とのいずれか一方に設けられた軸部３，３１ｆと、容器本体１，３１と蓋２，３２とのいずれか一方に設けられて軸部３，３１ｆに係合する軸案内溝１ｆ，３２ｆとを備え、軸部３，３１ｆは、軸案内溝１ｆ，３２ｆに沿って摺動可能であるとともに、軸案内溝１ｆ，３２ｆ内の所定の範囲で回動可能であり、蓋２，３２は摺動と回動とに連動して開口部開口部１ｃ，３１ｃを開閉し、開口部１ｃ，３１ｃの露出面積が調節できる。【００４４】  また、容器本体１，３１と蓋２，３２とによる構造とし、軸部３，３１ｆを容器本体１，３１と蓋２，３２とのいずれか一方に設け、他方に軸案内溝１ｆ，３２ｆを設け、軸部３，３１ｆは、軸案内溝１ｆ，３２ｆに沿って摺動することが可能で、かつ軸案内溝１ｆ，３２ｆ内において回動可能としている。すなわち、蓋２，３２の開閉操作は、摺動だけによる開閉、回動だけによる開閉、および摺動と回動を組み合わせた開閉、の３通りが可能であり、これらを任意に選択することにより、開口部１ｃ，３１ｃの露出面積が調節される。【００４５】  軸部３，３１ｆは軸案内溝１ｆ，３２ｆ内の所定の範囲で回動可能としている。軸部３，３１ｆの回動可能な範囲を軸案内溝１ｆ，３２ｆ内の全域と定めた場合、軸部３，３１ｆが軸案内溝内１ｆ，３２ｆのどの位置にあっても蓋２，３２を回動しての開閉操作が可能である。また、軸部３，３１ｆの回動可能な範囲を限定した場合、軸部３，３１ｆが軸案内溝１ｆ，３２ｆ内の回動不可能な位置にあるとき、蓋２，３２の開閉操作は摺動だけに限定される。【００４６】  また、本発明の収納容器は、容器本体１，３１と蓋２，３２とのいずれか一方に設けられた係合溝１ｇ，３２ｇと、容器本体１，３１と蓋２，３２とのいずれか一方に設けられて係合溝１ｇ，３２ｇに係合する係合突起２ｃ，２ｄ，３１ｇとを備え、蓋２，３２の動きが制御される。【００４７】  また、係合溝を容器本体１，３１と蓋２，３２とのいずれか一方に設け、他方に係合突起２ｃ，２ｄ，３１ｇを設け、それらを係合させることにより、容器本体１，３１の開口部１ｃ，３１ｃを閉蓋しているとき、不意の力で開口部１ｃ，３１ｃが安易に露出するのを防ぐことができる。また蓋２，３２を摺動させて開口するとき、蓋２，３２が安易に回動するのを防ぐことができる。さらには、開口部１ｃ，３１ｃの露出面積を容易に調整することもできる。
【符号の説明】
【００４８】  １  容器本体、１ｃ  開口部、２  蓋、３  軸部、１ｆ  軸案内溝、１ｇ  蓋係合溝、２ｃ  第一の係合突起、２ｄ  第二の係合突起、３１  容器本体、３１ｆ  軸部、３１ｇ  蓋係合突起、３２ｆ  軸案内溝、３２ｇ  容器係合溝
【図１】
2011025996.tif 000003
【図２】
2011025996.tif 000004
【図３】
2011025996.tif 000005
【図４】
2011025996.tif 000006
【図５】
2011025996.tif 000007
【図６】
2011025996.tif 000008
【図７】
2011025996.tif 000009
【図８】
2011025996.tif 000010
【図９】
2011025996.tif 000011
【図１０】
2011025996.tif 000012
【図１１】
2011025996.tif 000013